(57)【要約】【課題】可変フレーム周波数記憶機能を用いた撮影を行う際の条件設定を簡単に行うことを可能にする表示制御装置を提供する。【解決手段】撮像装置１００は、撮像部２０３から所定の撮影フレームレートで出力されるフレームを所定の倍速率で再生可能に記録媒体２１２に記憶するための信号処理部２０４、倍速率を設定する倍速率選択バー７３１を含むメイン画面７３０を表示部２０９に表示する表示制御部２１０と、記憶されるフレームに同期させて音声を記憶する主制御部２０１を備え、主制御部２０１の制御下で表示制御部２１０は、メイン画面７３０を表示した際に、倍速率選択バー７３１の表示に対応させて、音声記憶を可能とする倍速率の範囲を表示する。【選択図】図２
2018098640.tif 000002
【特許請求の範囲】
【請求項１】
撮像手段から所定の撮影フレームレートで出力されるフレームを所定の倍速率で再生可能に記憶する記憶手段と、
前記倍速率を設定するための第１の設定画面を表示手段に表示する表示制御手段と、
前記倍速率に応じて前記記憶手段に記憶されるフレームに同期させて音声を記憶する音声記憶手段と、を備え、
前記表示制御手段は、前記第１の設定画面を前記表示手段に表示する際に、前記音声記憶手段による音声記憶を可能とする倍速率の範囲を表示することを特徴とする表示制御装置。
【請求項２】
前記表示制御手段は、前記音声記憶手段により音声を記憶するか否かを切り換えるための第２の設定画面を前記表示手段に表示することを特徴とする請求項１に記載の表示制御装置。
【請求項３】
前記表示制御手段は、前記第１の設定画面と前記第２の設定画面とを含む画面を前記表示手段に表示させることを特徴とする請求項２に記載の表示制御装置。
【請求項４】
前記表示制御手段は、前記第２の設定画面において音声を記憶すると設定された場合に、音声記憶を可能とする倍速率の範囲を前記第１の設定画面に表示することを特徴とする請求項２又は３に記載の表示制御装置。
【請求項５】
前記第１の設定画面において設定可能な倍速率を音声記憶を可能とする倍速率の範囲内に制限する制御手段を有することを特徴とする請求項２乃至４のいずれか１項に記載の表示制御装置。
【請求項６】
前記表示制御手段は、前記第１の設定画面で設定された倍速率が音声記憶を不可とする倍速率の範囲内にある場合に、前記第１の設定画面に警告を表示することを特徴とする請求項２乃至５のいずれか１項に記載の表示制御装置。
【請求項７】
前記第１の設定画面で設定された倍速率が音声記憶を不可とする倍速率の範囲内にある場合に、前記記憶手段は前記第１の設定画面で設定された倍速率で前記撮像手段から出力されるフレームを再生可能に記憶し、前記音声記憶手段は音声を記憶しないことを特徴とする請求項６に記載の表示制御装置。
【請求項８】
前記表示制御手段は、前記倍速率をスワイプにより変更が可能なバーで前記第１の設定画面を表示し、音声記憶を可能とする倍速率の範囲を前記バーに重畳させて表示するかまたは前記バーの近傍に表示することを特徴とする請求項１乃至７のいずれか１項に記載の表示制御装置。
【請求項９】
前記記憶手段は、前記撮像手段から所定の撮影フレームレートで出力されるフレームを間欠記憶することにより前記第１の設定画面で設定された倍速率で再生可能に記憶することを特徴とする請求項１乃至８のいずれか１項に記載の表示制御装置。
【請求項１０】
前記間欠記憶の設定条件は、前記撮像手段から所定の撮影フレームレートで出力されるフレームを一定のインターバルをおきながら一定数のフレームを連続して記憶するものであることを特徴とする請求項９に記載の表示制御装置。
【請求項１１】
前記表示制御装置は、前記撮像手段と、前記表示手段とを有することを特徴とする請求項１乃至１０のいずれか１項に記載の表示制御装置。
【請求項１２】
撮像手段から所定の撮影フレームレートで出力されるフレームを所定の倍速率で再生可能に記憶手段に記憶するステップと、
前記倍速率を設定するための第１の設定画面を表示手段に表示するステップと、
前記倍速率に応じて前記記憶手段に記憶されるフレームに同期させて音声を記憶するステップと、を有し、
前記第１の設定画面を前記表示手段に表示する際に、前記音声の記憶を可能とする倍速率の範囲を表示することを特徴とする表示制御方法。
【請求項１３】
コンピュータを請求項１乃至１１のいずれか１項に記載の表示制御装置の各手段として機能させることを特徴とするプログラム。
【発明の詳細な説明】
【技術分野】
【０００１】
本発明は、表示処理装置、表示制御方法及びプログラムに関し、特に、映像信号にスローモーション効果やクイックモーション効果を付与した動画データを記憶する技術に関する。
【背景技術】
【０００２】
デジタルビデオカメラ等の撮像装置やカメラ搭載したスマートフォン等の携帯情報端末をはじめとして、動画の記憶が可能な電子機器が普及している。このような電子機器の中には、特殊な記憶方式の１つとして、可変フレーム周波数記憶機能を備えているものがある。可変フレーム周波数記憶とは、例えば、６０ｆｐｓ（毎秒６０フレーム）等の通常のフレーム周波数に対して、高いフレーム周波数又は低いフレーム周波数で撮像した動画像を記憶するものである。可変フレーム周波数の機能を用いて記憶したストリームを通常のフレーム周波数で再生すると、視覚的な演出効果が得られる。例えば、高いフレーム周波数で撮像した動画を通常のフレーム周波数で再生すると、滑らかなスローモーション再生を行うことができる。一方、低いフレーム周波数で撮像した動画を通常のフレーム周波数で再生すると、クイックモーション再生を行うことができる。このような可変フレーム周波数記憶を実現する技術が、種々、提案されている（例えば、特許文献１参照）。
【０００３】
撮像装置のフレーム周波数で生成される撮像フレームを所定の間隔で間引いて符号化し、記憶することにより、撮像装置のフレーム周波数の範囲よりも広い周波数範囲でクイックモーション動画を作成することができる撮像装置も知られている。例えば、１フレームごとに間引くパターンでクイックモーション動画を作成することができる。また、所定数のフレームを連続して符号化した後に所定のインターバルをおいて再び所定数のフレーム数を連続して符号化するような、複数のフレームごとに１フレームを間引くパターンでクイックモーション動画を作成することもできる。
【０００４】
また、スローモーション動画やクイックモーション動画に対して音声のサンプリング周期を同期して変更する等により、動画を記憶する際の倍速率に応じて音声を記憶する技術が知られている。更に、動画のシーン内容に合わせて可変フレーム周波数区間での音声出力を切り換える技術も提案されている（例えば、特許文献２参照）。
【先行技術文献】
【特許文献】
【０００５】
【特許文献１】特開２００８−２８８９３４号公報
【特許文献２】特開２０１６−９９６１号公報
【発明の概要】
【発明が解決しようとする課題】
【０００６】
しかし、上記従来技術のように音声のサンプリング周期を変更する場合、設定された倍速率が非常に大きな値となるスローモーション動画やクイックモーション動画の場合には、音声が聞き取れるレベルでなくなるために音声がミュートされることが多い。また、複数のフレームごとに１フレームを間引くパターンは、１フレーム単位での記憶を行うとフレーム間の差分が大きくなりすぎてしまうような高倍速率のクイックモーション動画の記憶においてのみ設定が可能である。このように、スローモーション動画やクイックモーション動画の撮影条件には設定可能なものと設定不可能なものとがあるため、ユーザは撮影条件を設定する際にこれらの条件をすべて理解する必要がある。そこで、一般ユーザにも簡単に可変フレーム周波数記憶の条件設定を行うことができる機能が求められている。
【０００７】
本発明は、可変フレーム周波数記憶機能を用いた撮影を行う際の条件設定を簡単に行うことを可能にする表示制御装置を提供することを目的とする。
【課題を解決するための手段】
【０００８】
本発明に係る表示制御装置は、撮像手段から所定の撮影フレームレートで出力されるフレームを所定の倍速率で再生可能に記憶する記憶手段と、前記倍速率を設定するための第１の設定画面を表示手段に表示する表示制御手段と、前記倍速率に応じて前記記憶手段に記憶されるフレームに同期させて音声を記憶する音声記憶手段と、を備え、前記表示制御手段は、前記第１の設定画面を前記表示手段に表示する際に、前記音声記憶手段による音声記憶を可能とする倍速率の範囲を表示することを特徴とする。
【発明の効果】
【０００９】
本発明によれば、可変フレーム周波数記憶機能を用いた撮影を行う際の条件設定を簡単に行うことができる。
【図面の簡単な説明】
【００１０】
【図１】本発明の実施形態に係る撮像装置の外観斜視図である。
【図２】撮像装置の概略構成を示すブロック図である。
【図３】可変フレーム周波数記憶でのフレーム選択例を示す図である。
【図４】ＭＰ４のファイルフォーマット構造を説明する図である。
【図５】倍速率と音声記憶・間欠記憶の各条件との関係を示すチャート図である。
【図６】動画撮影を行う際の各種条件を設定するための第１実施形態に係る手順を説明するフローチャートである。
【図７】動画撮影を行う際の各種条件を図６のフローチャートに従って設定するための設定画面の一例を示す図である。
【図８】図７の続きの図である。
【図９】動画撮影を行う際の各種条件を設定するための第２実施形態に係る手順を説明するフローチャートである。
【図１０】動画撮影を行う際の各種条件を図９のフローチャートに従って設定するための設定画面の一例を示す図である。
【発明を実施するための形態】
【００１１】
以下、本発明の実施形態について、添付図面を参照して詳細に説明する。本実施形態では、本発明に係る表示制御装置を備える撮像装置の一例であるデジタルカメラを取り上げる。但し、本発明は、デジタルカメラに限定されるものではなく、撮像機能（カメラ）を有するスマートフォンや携帯電話等の携帯情報端末にも適用が可能である。また、本発明は、撮像装置で撮像された映像信号を取得し、取得した映像信号に対する信号処理を行うことができるパーソナルコンピュータ等の電子機器にも適用が可能である。
【００１２】
図１は、本発明の実施形態に係る撮像装置１００の外観斜視図であり、図１（ａ）は正面側から見た斜視図であり、図１（ｂ）は背面側から見た斜視図である。なお、撮像装置１００の外観は本発明には直接の関係はなく、また、撮像装置１００での制御系については図２を参照して後述するため、図１については簡単な説明にとどめることとする。
【００１３】
撮像装置１００は、カメラ本体１０１と、カメラ本体１０１の前面に設けられたレンズ鏡筒１０２を備える。カメラ本体１０１の内部には、不図示であるが、メカシャッタ機構、撮像素子、ジャイロ、制御回路基板等が配置されている。カメラ本体１０１の上面には、撮影指示を行うシャッタボタン１０４と、撮像装置１００の主電源のオン／オフを切り換えるための電源ボタン１０５が設けられている。電源ボタン１０５がオンに操作されると、カメラ本体１０１の内部に設けられている主制御部２０１（図２参照）が起動し、撮像装置１００は撮影可能な状態となる。
【００１４】
カメラ本体１０１の背面には、表示パネル１０３、モードボタン１０６及び操作部材１０７が設けられている。表示パネル１０３は、例えば、液晶パネルである。本実施形態では、表示パネル１０３の表面には、ユーザからのタッチ操作を受け付けるためのタッチパネルが設けられているものとする。モードボタン１０６の操作により、静止画撮影と動画撮影のそれぞれで撮影モードを設定することができる。操作部材１０７は、ここではシャッタボタン１０４、電源ボタン１０５及びモードボタン１０６以外でユーザの操作を受けるものであり、動画撮影ボタン、ズームレバー、十字ボタン、メニューボタン、ファンクションボタン、撮影／再生切換ボタン等を含む。
【００１５】
撮像装置１００は、接続ケーブル１１１及びコネクタ１１０を介して不図示の外部機器と接続することができ、外部機器に静止画データや動画データ等を出力することができるように構成されている。なお、動画データには、映像データのみからなるものと、映像データ及び音声データとからなるものがある。本実施形態では、映像データとは、画像（フレーム）のみからなり、音声データを含まないデータを指すものとする。
【００１６】
また、撮像装置１００の下面には蓋１０９により開閉可能な電池・記録媒体スロット（不図示）が設けられており、バッテリ１０８と不図示のメモリカード等の記録媒体（ストレージ）を格納することができるようになっている。
【００１７】
図２は、撮像装置１００の概略構成を示すブロック図である。撮像装置１００は、主制御部２０１、記憶部２０２、撮像部２０３、信号処理部２０４、マイク２０５、音声処理部２０６、操作部２０７、操作制御部２０８、表示部２０９、表示制御部２１０、記録媒体制御部２１１及び外部接続制御部２１４を有する。これらの各部は、データバス２１３を介して相互にデータやコマンドの送受信を行う。また、カメラ本体１０１には、カメラ本体１０１に対して着脱自在な記録媒体２１２が装着されているものとする。
【００１８】
主制御部２０１は、マイクロコンピュータを有しており、操作制御部２０８からの情報（指令）等に従って記憶部２０２に格納されている所定のプログラムを実行することにより、撮像装置１００の各部を統括的に制御する。また、主制御部２０１は、信号処理部２０４及び音声処理部２０６により符号化されたデータをＭＰ４等のファイルフォーマットに多重化し、記録媒体制御部２１１を介して記録媒体２１２に記憶するように指示する。記憶部２０２は、ＲＯＭやＲＡＭ等で構成される主記憶装置であり、撮像部２０３により得られた映像データ（画像データ）及び符号化された映像データを一時的に記憶する。また、記憶部２０２は、主制御部２０１で実行される演算に使用される各種データを記憶する。なお、主制御部２０１のマイクロコンピュータが実行するプログラムは、主制御部２０１自身がＲＯＭ等を有して記憶していてもよいし記憶部２０２が記憶していてもよい。
【００１９】
撮像部２０３は、図１を参照して説明したレンズ鏡筒１０２、撮像素子（例えば、ＣＭＯＳセンサ）、撮像素子から出力されるアナログ信号をデジタル信号へ変換するＡ／Ｄ変換器を含む。レンズ鏡筒１０２を通過した光はＣＭＯＳセンサに結像し、ＣＭＯＳセンサは光学像を電気信号（アナログ信号）に変換する。ＣＭＯＳセンサから出力されるアナログ信号は、Ａ／Ｄ変換器によりデジタル信号からなる映像データに変換された後、信号処理部２０４へ送信される。なお、Ａ／Ｄ変換機能は、ＣＭＯＳセンサ又は信号処理部２０４に持たせてもよい。信号処理部２０４は、映像データの記憶時には、撮像部２０３により得られた映像データに所定の処理を施した後にＪＰＥＧ形式（静止画）やＭＰＥＧ形式（動画）等の規格に従って符号化する。また、信号処理部２０４は、符号化された静止画データと動画データを復号することにより、再生表示用の静止画データと動画データを生成する。マイク２０５は、外部（周囲）の音声を取り込み、音声信号を出力する。音声処理部２０６は、マイク２０５からの音声信号をＡ／Ｄ変換し、Ａ／Ｄ変換後の音声データを符号化する。
【００２０】
操作部２０７は、シャッタボタン１０４、電源ボタン１０５、モードボタン１０６、操作部材１０７を含み、また、表示パネル１０３上に配置されたタッチパネルを含む。操作制御部２０８は、操作部２０７からの指示に応じて主制御部２０１に操作情報（イベント）を通知する。表示部２０９は、表示パネル１０３に該当する。表示制御部２１０は、撮影時には撮像部２０３により得られたスルー画像を表示し、再生時には静止画データに係る画像や動画データに係る映像を表示部２０９に表示する。また、表示制御部２１０は、メニュー画面等の各種の情報を表示部２０９に表示する。
【００２１】
記録媒体制御部２１１は、記録媒体２１２に映像データ及び音声データを記憶させ、逆に記録媒体２１２から各種データを読み出す。また、記録媒体制御部２１１は、ＦＡＴファイルシステム等の公知のファイルシステムに従い、記録媒体２１２に記憶する各種データをファイルとして管理する。記録媒体２１２には、撮像装置１００で撮影された映像データ等が記録される。記録媒体２１２は、例えば、ＳＤカード等のメモリカードであるが、これに限定されるものではない。外部接続制御部２１４は、撮像装置１００とパーソナルコンピュータ等の外部機器とを所定の通信プロトコルに従って通信可能に接続するためのインタフェースである。
【００２２】
次に、撮像部２０３から所定の撮影フレームレートで出力されるフレームを所定の倍速率で再生可能に記憶するためのフレーム選択例について説明する。図３（ａ）は、２倍クイックモーション記憶でのフレーム選択例を示す図である。撮像部２０３から出力されるフレーム３０１の撮影フレームレートが６０ｆｐｓである場合、信号処理部２０４において記憶対象のフレームは１／２に（１フレームおきに）間引かれ、１秒間に３０フレームが選択されて符号化される。符号化されたフレーム３０２をつないだフレームを６０ｆｐｓ（３０フレーム／０．５秒）で再生することで、フレーム３０１に対して倍速率が２倍のクイックモーション効果を得ることができる。なお、音声データは、フレーム３０１の間引きと同期させて音声処理部２０６によりサンプリング周期が１／２に間引かれることで時間圧縮されて符号化される。
【００２３】
図３（ｂ）は、１／２スローモーション記憶でのフレーム選択例を示す図である。撮像部２０３から出力されるフレーム３０３の撮影フレームレートは通常記憶時の２倍の撮影フレームレートである１２０ｆｐｓに設定されている。フレーム３０３は、間引かれることなく信号処理部２０４において符号化され、その際に信号処理部２０４は、再生時撮影フレームレートを６０ｆｐｓとなるように符号化する。こうして、符号化されたフレーム３０４を６０ｆｐｓで再生することにより、２倍のスローモーション効果（倍速率は１／２倍）を得ることができる。なお、音声データは、音声処理部２０６によりサンプリング周期を２倍とする等の設定変更が行われることで時間伸長されて符号化される。
【００２４】
スローモーション記憶とクイックモーション記憶の倍速率を撮影中に切り換えることも可能である。図３（ｃ）は、倍速率を４倍クイックモーション記憶、２倍クイックモーション記憶、等倍速記憶、１／２倍スローモーション記憶の順で切り換える撮影でのフレーム選択例を示す図である。４倍クイックモーション記憶では、撮像部２０３から出力されるフレーム３０５の撮影フレームレートは６０ｆｐｓであり、フレーム３０５は信号処理部２０４において１／４に（３フレームおきに）間引かれる。これにより、６０ｆｐｓで再生したときに４倍クックモーションで再生される映像データが得られる。撮像部２０３から出力されるフレーム３０５の撮影フレームレートが６０ｆｐｓのままで２倍クイックモーション記憶に切り換えられると、図３（ａ）の場合と同様に、フレーム３０５は信号処理部２０４において１／２に間引かれる。これにより、６０ｆｐｓで再生したときに２倍クックモーションで再生される映像データが得られる。撮像部２０３から出力されるフレーム３０５の撮影フレームレートが６０ｆｐｓのままで等倍速記憶に切り換えられると、フレーム３０５は信号処理部２０４において間引かれることなく記憶される。これにより、等倍速の映像データが得られる。１／２スローモーション記憶に切り換えられると、図３（ｂ）の場合と同様に、撮像部２０３から出力されるフレーム３０６の撮影フレームレートは６０ｆｐｓから１２０ｆｐｓに変更され、再生時撮影フレームレートが６０ｆｐｓとなるように符号化される。これにより、６０ｆｐｓで再生したときに１／２倍スローモーションで再生される映像データが得られる。こうして得られた映像データを順次つなぎ合わせることで、６０ｆｐｓで再生したときにスローモーション効果とクイックモーション効果が切り替わる映像データを得ることができる。なお、音声データは、音声処理部２０６により映像信号の変更タイミングと同期させてサンプリング周期が１／４間引き、１／２間引き、間引き無し、２倍に順次変更されて符号化される。
【００２５】
ところで、一定数のフレームを連続して符号化した後に一定時間のインターバル（時間間隔）をおいて再び一定数のフレームを連続して符号化するパターンのフレーム選択方法（以下「インターバル記憶」という）が知られている。図３（ｄ）は、１０倍速クイックモーション記憶を０．５秒インターバル記憶で行った場合のデータ処理を説明する図である。１０倍速クイックモーション記憶では、０．５秒間分のフレームを記憶した後、４．５秒間のインターバルを置くことで、５秒間の映像を０．５秒に圧縮する。この場合、動画記憶単位が０．５秒であるため、音声を記憶した場合には細切れとなってしまい、また、記憶単位間の切り替わり部分でノイズ感が発生してしまって聞きづらい音声となってしまうため、音声は記憶（録音）されない。
【００２６】
上述したスローモーション効果やクイックモーション効果が付与された映像データは、主制御部２０１によって所定のファイルフォーマットに多重化されて記録媒体２１２に記憶される。図４は、ＭＰ４のファイルフォーマット構造を説明する図である。なお、ここでは、映像データ及び音声データを記憶するための所定のファイルフォーマットとしてＭＰ４を取り上げるが、他のファイルフォーマットを用いても構わない。
【００２７】
ＭＰ４は、一般的に、映像データを保持し管理する映像トラックと、音声データを保持し管理する音声トラックとを有する。図４（ａ）は、映像トラックと音声トラックを有するＭＰ４ファイル４００ａのファイル構造を示している。ＭＰ４ファイル４００ａのファイル互換Ｂｏｘ４０１には、ＭＰ４ファイルフォーマットに準拠したファイルであることを示す情報が格納されている。ムービーＢｏｘ４０２には、ファイルの記憶再生に係る情報が格納される。ユーザデータＢｏｘ４０３は、ムービーＢｏｘ４０２に格納され、ベンダユニークな情報を格納する。ムービーヘッダＢｏｘ４０４には、ムービーＢｏｘ４０２に格納され、ファイルのヘッダ情報等を格納する。映像トラックＢｏｘ４０５は、ムービーＢｏｘ４０２に格納され、映像トラックの情報を格納する。音声トラックＢｏｘ４０６は、ムービーＢｏｘ４０２に格納され、音声トラックの情報を格納する。ムービーデータＢｏｘ４０７には、ストリームデータが格納される。ビデオチャンク４０８，４１０及びオーディオチャンク４０９，４１１はそれぞれ、ムービーデータＢｏｘ４０７に格納され、所定の分割方法により分割保存された映像データ及び音声データを格納する。
【００２８】
なお、本実施形態では、映像データ及び音声データは、主制御部２０１により、ＭＰ４ファイル４００ａのファイルフォーマットに従って多重化されて記録媒体２１２に記憶されるものとする。また、本実施形態では、倍速率が所定値以上（例えば、時間圧縮された音声がユーザに認識できなくなる５倍程度を超えた場合）のクイックモーション記憶及びインターバル記憶では、音声データを記憶しないこととする。
【００２９】
図４（ｂ）は、音声データを記憶しない（映像トラックのみからなる）ＭＰ４ファイル４００ｂのファイル構造を示している。ファイル互換Ｂｏｘ４１２は、ＭＰ４ファイルフォーマットに準拠したファイルであることを示す情報が格納されている。ムービーＢｏｘ４１３には、ファイルの記憶再生に係る情報が格納される。ユーザデータＢｏｘ４１４は、ムービーＢｏｘ４１３に格納され、ベンダユニークな情報を格納する。ムービーヘッダＢｏｘ４１５は、ムービーＢｏｘ４１３に格納され、ファイルのヘッダ情報等を格納する。なお、ＭＰ４ファイル４００ｂでは、ＭＰ４ファイル４００ａの音声トラックＢｏｘ４０６に対応するＢｏｘは、ムービーＢｏｘ４１３には存在しない。映像トラックＢｏｘ４１６は、ムービーＢｏｘ４１３に格納され、映像トラックの情報を格納する。ムービーデータＢｏｘ４１７には、ストリームデータが格納される。ビデオチャンク４１８，４１９，４２０は、ムービーデータＢｏｘ４１７に格納され、所定の分割方法により分割保存された映像データ本体である。なお、音声データを記憶しない場合には、ＭＰ４ファイル４００ａにおいて音声トラックＢｏｘ４０６の音声データをミュートして無音を記憶するようにすることも可能である。
【００３０】
次に、スローモーション記憶及びクイックモーション記憶での倍速率に対して設定可能／設定不可能な音声記憶条件と間欠記憶条件について説明する。図５は、スローモーション記憶及びクイックモーション記憶での倍速率と設定可能な音声記憶条件及び間欠記憶条件との関係を整理したチャート図である。倍速率が非常に大きな値となるスローモーション記憶及びクイックモーション記憶の場合に音声を記憶しようとすると、音声を聞き取り可能なレベルでない圧縮率となってしまうため、音声を記憶しない又は一時的にミュートする設定とすることが望ましい。そこで本実施形態では、一般的に音声を聞き取ることができる範囲を、４倍クイックモーション記憶まで及び１／４倍スローモーション記憶までに設定し、この倍速率の範囲内で音声の記憶が可能であるとする。一方、この範囲外では音声の記憶を不可とし、その際にＭＰ４ファイル４００ｂのフォーマット（ミュートではなく音声トラックを記憶しない（音声データを含まない映像データのみからなる動画データが生成される）を採用することとする。
【００３１】
一方、撮像部２０３から出力されるフレームの間欠記憶、つまり、映像記憶については、１フレーム単位での間引き設定は、倍速率に関係なく設定することができるものとする。また、１０倍速以上のクイックモーション記憶を行う場合には、０．５秒単位でのインターバル記憶の設定を行うことも可能になっているものとする。なお、インターバル記憶を１０倍速以上のクイックモーション記憶でのみ設定可能としたのは、１０倍速以下のクイックモーション記憶ではフレーム間の時差が少なく、フレーム間の映像差異が少ないためにインターバル記憶を行うニーズが少ないためである。
【００３２】
＜第１実施形態＞
次に、動画撮影を行うためにユーザが倍速率を選択すると共に音声記憶及び間欠記憶の条件を設定するために表示部２０９に表示される設定画面（ＵＩ（ユーザインターフェース））の表示例と設定画面の表示制御について説明する。図６は、動画撮影を行う際の各種条件を設定するための第１実施形態に係る手順を説明するフローチャートである。図６に示す表示制御方法のフローチャートの各処理は、主制御部２０１が記憶部２０２に格納された所定のプログラムを実行して撮像装置１００の各部の動作を制御することにより実現される。図７及び図８はそれぞれ、動画撮影での各種条件を図６のフローチャートに従って設定するためのＵＩの一例を示す図である。
【００３３】
撮像装置１００の電源ボタン１０５が押下されると、主制御部２０１が起動して初期化処理等を実行し、撮影待機状態になる。撮影待機状態において主制御部２０１は、表示制御部２１０を制御して、表示部２０９に図７（ａ）の待機画面７１０を表示する。待機画面７１０には、各種の設定メニューを展開するボタンや現在の設定を表示するアイコン、撮影状態アイコン、バッテリ状況アイコン等が表示される。ユーザが撮影設定ボタン７１１を押下すると、主制御部２０１は表示制御部２１０を制御して、待機画面７１０を図７（ｂ）のメニュー画面７２０へ遷移させる。メニュー画面７２０には、撮影待機状態又は撮影中に設定可能な、撮影に関する設定へのアクセスボタンが表示されている。アクセスボタンは、スローモーション記憶及びクイックモーション記憶での条件設定を行うための画面へのアクセスボタンであるＳｌｏｗ＆Ｆａｓｔボタン７２１を含む。ユーザがＳｌｏｗ＆Ｆａｓｔボタン７２１を押下（タッチ）すると、スローモーション記憶及びクイックモーション記憶での条件設定を行うためのメイン画面に遷移する。
【００３４】
ステップＳ６０１の処理は、図７（ｃ）に示すメイン画面７３０を表示するために、メイン画面７３０の表示前に実行される。ステップＳ６０１において主制御部２０１は、記憶部２０２に格納されている現在の倍速率設定、音声記憶及び間欠記憶の設定と、音声記憶と間欠記憶の設定条件から算出される選択可能な倍速率を取得する。また、主制御部２０１は、現在の倍速率設定が選択可能な倍速率の範囲外である場合には、現在の倍速率を選択可能な倍速率の範囲内の倍速率に再設定する。例えば、現在は２０倍クイックモーション記憶に設定されているが、算出された選択可能な倍速率の範囲が４倍クイックモーション記憶以下である場合には、４倍クイックモーション記憶に再設定される。
【００３５】
ステップ６０２において主制御部２０１は、メイン画面７３０を表示部２０９に表示する。メイン画面７３０には、図７（ｃ）に示されるように、現在の倍速率を中央に表示することで現在値を示す倍速率選択バー７３１が表示される。
【００３６】
続くステップＳ６０３において主制御部２０１は、各種の操作イベントを受け付ける。ステップＳ６０３において主制御部２０１は、倍速率選択バー７３１がスワイプされることで操作制御部２０８を介して倍速率選択バー７３１のスワイプイベントを検出した場合、処理をステップＳ６０４へ進める。ステップＳ６０４において主制御部２０１は、表示制御部２１０を介して、図７（ｄ）に示す変更確定画面７４０を表示部２０９に表示する。変更確定画面７４０は、倍速率確定ボタン７４１を含む。倍速率確定ボタン７４１が押下されるまでは倍速率の変更は行われず、これにより、スワイプ動作中の意図しない倍速率へ変更されるのを防止することができる。
【００３７】
ステップＳ６０５において主制御部２０１は、操作イベントを受け付ける。主制御部２０１は、操作制御部２０８を介して倍速率確定ボタン７４１が押下されて倍速率が決定されたこと（倍速率確定イベント）を検知すると、処理をステップＳ６０６へ進める。ステップＳ６０６において主制御部２０１は、現在の倍速率選択バー７３１の状態に基づき、倍速率の設定を変更する。ステップＳ６０７において主制御部２０１は、現在の倍速率選択バー７３１の状態に基づいて音声記憶の倍速率設定を変更する。主制御部２０１は、ステップＳ６０７の後、処理をステップＳ６０１へ戻す。これにより、新たな倍速率設定でのメイン画面７３０が再表示される。
【００３８】
主制御部２０１は、ステップＳ６０５において操作制御部２０８を介して倍速率確定ボタンの取り消しイベントを検出すると、処理をステップＳ６０８へ進める。なお、倍速率確定ボタンの取り消しイベントとは、直前のスワイプ動作の取り消し操作や倍速率選択バー７３１に対する再度のスワイプ動作を指す。ステップＳ６０８において主制御部２０１は、倍速率確定ボタン７４１を非表示にする。ステップＳ６０９において主制御部２０１は、直前のスワイプ動作を取り消す操作が行われた場合には、倍速率選択バー７３１をスワイプ前の位置に戻す。また、ステップＳ６０９において主制御部２０１は、倍速率選択バー７３１が再びスワイプされた場合には、倍速率設定をスワイプ後の値に再設定する。なお、ステップＳ６０５において、倍速率選択バー７３１が再びスワイプされた場合には、処理はステップＳ６０１に戻される。すると、その後のステップＳ６０３において、再度、倍速率選択バー７３１のスワイプイベントが検出されるため、画面上で離れて表示されている倍速率設定間の移動は、倍速率選択バー７３１を連続してスワイプすることにより容易に行うことができる。
【００３９】
主制御部２０１は、ステップＳ６０３において操作制御部２０８を介してメイン画面７３０にある詳細設定ボタン７３２が押下されたこと（詳細設定ボタン押下イベント）を検出すると、処理をステップＳ６１０へ進める。ステップＳ６１０において、主制御部２０１は、表示制御部２１０を介して、メイン画面７３０を図８（ａ）に示す詳細設定画面８１０へ遷移させる。詳細設定画面８１０には、音声を記憶するか否かを設定するための音声オン／オフ切換スイッチ８１１と、間欠記憶を設定するための間欠設定切換スイッチ８１２が表示されている。間欠設定切換スイッチ８１２は、図５を参照して説明した１フレーム単位での間引きと０．５秒単位でのインターバル記憶とを切り換える。
【００４０】
なお、詳細設定画面８１０は、図８（ｂ）に示す詳細設定画面８２０のように、初期状態として、音声オン／オフ切換スイッチ８１１がオフに設定され、間欠設定切換スイッチ８１２が１フレーム単位での間引きに設定されたものとしてもよい。また、詳細設定画面８１０で音声オン／オフ切換スイッチ８１１がオンに設定されている場合には、０．５秒単位でのインターバル記憶は設定することができない。そこで、この場合には、図８（ｃ）に示す詳細設定画面８３０のように、間欠設定切換スイッチ８１２の表示欄８３１をグレーアウトさせて、設定不可能であることをユーザに明示する構成としてもよい。
【００４１】
ステップＳ６１１において主制御部２０１は、各種の操作イベントを受け付ける。主制御部２０１は、ステップＳ６１１において操作制御部２０８を介して音声オン／オフ切換スイッチ８１１が変更されたことを検出した場合、処理をステップＳ６１２へ進める。ステップＳ６１２において主制御部２０１は、音声記憶の設定を変更する。ステップＳ６１３において主制御部２０１は、音声記憶の設定がオンに変更されたか否かを判定する。主制御部２０１は、音声記憶の設定がオンに変更されたと判定した場合（Ｓ６１３でＹＥＳ）、処理をステップＳ６１４へ進め、音声記憶の設定がオフに変更されたと判定した場合（Ｓ６１３でＮＯ）、処理をステップＳ６１５へ進める。ステップＳ６１４において主制御部２０１は、０．５秒単位でのインターバル記憶を設定することはできないため、間欠記憶の設定を１フレーム単位の間引きに変更する。ステップＳ６１５において主制御部２０１は、新たな音声記憶と間欠記憶の設定に基づいて選択可能な倍速率を再計算する。
【００４２】
主制御部２０１は、ステップＳ６１５の後に処理をステップＳ６１０に戻し、これにより、ユーザは新たな音声記憶と間欠記憶の設定から算出された選択可能な倍速率を参照することができる。その結果として音声記憶がオンに設定された場合には、表示部２０９には、図８（ｄ）に示すメイン画面８４０が表示される。メイン画面８４０では、倍速率選択バー７３１における選択不可領域８４１をグレーアウト表示とすることで、倍速率の選択可能範囲を、音声の記憶を可能とする前述の倍速率の範囲内に制限している。また、メイン画面８４０は、倍速率選択バー７３１における選択可能領域８４２に音声記憶がオンに設定されていることを示すバー表示を重畳することにより、ユーザに設定可能な条件を明示している。
【００４３】
主制御部２０１は、ステップＳ６１１において操作制御部２０８を介して詳細設定画面８１０の間欠設定切換スイッチ８１２が変更されたことを検出した場合、処理をステップＳ６１６へ進める。ステップＳ６１６において主制御部２０１は、間欠記憶の設定を変更する。ステップＳ６１７において主制御部２０１は、ステップＳ６１５と同様に、選択可能な倍速率の再計算処理を行う。主制御部２０１は、ステップＳ６１５の後に処理をステップＳ６１０に戻し、これにより、ユーザは新たな音声記憶と間欠記憶の設定から算出された選択可能な倍速率を参照することができる。
【００４４】
例えば、間欠記憶が０．５秒単位のインターバル記憶に設定された場合には、図８（ｅ）に示すメイン画面８５０が表示される。メイン画面８５０では、倍速率選択バー７３１における選択不可領域８５２をグレーアウト表示とすることで、倍速率の選択可能範囲をインターバル記憶が可能な倍速率の範囲内に制限している。また、メイン画面８５０は、選択可能領域８５１にインターバル記憶が設定されたことを示すバー表示を重畳することにより、ユーザに設定可能な条件を明示している。
【００４５】
主制御部２０１は、ステップＳ６１１において操作制御部２０８を介して詳細設定画面８１０の閉じるボタン８１３（図８（ａ））が押下されたことを検出した場合、処理をステップＳ６１８へ進める。ステップＳ６１８において主制御部２０１は、表示部２０９の画面表示をメイン画面７３０に戻す。主制御部２０１は、ステップＳ６１６の後に処理をステップＳ６０１に戻す。
【００４６】
主制御部２０１は、ステップＳ６０３において操作制御部２０８を介してメイン画面７３０の閉じるボタン７３３（図７（ｃ））が押下されたことを検出した場合、処理をステップＳ６１９へ進める。ステップＳ６１９において主制御部２０１は、待機画面７１０へ戻るための画面遷移処理を実行し、これにより本処理は終了となる。このように本実施形態によれば、可変フレーム周波数記憶（スローモーション記憶及びクイックモーション記憶）での動画撮影を行う際の設定可否条件を倍速率の選択時に確認しながら設定することができる。よって、ユーザは、簡単に且つ確実に所望の撮影条件を設定することができる。
【００４７】
なお、図６には不図示であるが、ステップＳ６０３のイベント待機状態において主制御部２０１が撮影開始の指示を受け付けた場合、設定された倍速率と音声記憶及び間欠記憶の設定に基づいて動画撮影が開始され、動画データが記録媒体２１２に記憶される。動画撮影は、操作部２０７に含まれる停止ボタンの操作により終了する。また、待機画面７１０に戻った後には、同じ条件でスローモーション記憶やクイックモーション記憶が行われるように構成してもよいし、通常記憶（倍速率が１倍）が行われるようにしてもよい。更に、本実施形態では、インターバル記憶では音声を記憶しないとしたため、音声記憶が可能な倍速率の範囲とインターバル記憶が可能な倍速率の範囲を別々にバー表示する構成について説明した。これに対して、音声記憶とインターバル記憶とで選択可能な倍速率が重複する構成となっている場合には、バー表示を並行して行ってもよい。更に、現在の設定内容とは無関係に、常時、倍速率選択バー７３１に音声記憶が可能な倍速率の範囲とインターバル記憶が可能な倍速率の範囲をバー表示するようにしてもよい。図８（ｄ）では、音声記憶が可能な倍速率の範囲を倍速率選択バー７３１に重畳させて表示したが、音声記憶が可能な倍速率の範囲は、倍速率選択バー７３１の近傍に表示するようにしてもよい。インターバル記憶が可能な倍速率の範囲も、これと同様に表示することができる。
【００４８】
なお、上記実施形態では、メイン画面７３０において、倍速率選択バー７３１のみを表示した。しかし、音声オン／オフ切換スイッチ８１１と、間欠設定切換スイッチ８１２を、倍速率選択バー７３１と共にメイン画面７３０において表示するようにしてもよい。その場合、音声オン／オフ切換スイッチ８１１への操作に応じて、設定画面は遷移しないが、上記の実施例と同様に、倍速率選択バー７３１の選択不可領域を変更し、また、間欠設定切換スイッチ８１２の設定や表示を自動的に変更してもよい。
【００４９】
＜第２実施形態＞
次に、本発明の第２実施形態について説明する。第１実施形態では、４倍クイックモーション記憶までと１／４倍スローモーション記憶までの範囲で音声の記憶が可能とし、音声を記憶しない場合には音声トラックを有さないＭＰ４ファイル４００ｂ（図４（ｂ））のファイルフォーマットを用いることとした。これに対して本実施形態では、４倍クイックモーション記憶までと１／４倍スローモーション記憶までを有効範囲とし、音声を記憶しない場合にはミュートした音声を記憶するＭＰ４ファイル４００ａ（図４（ａ））のファイルフォーマットを用いる。
【００５０】
図９は、動画撮影を行う際の各種条件を設定するための第２実施形態に係る手順を説明するフローチャートである。図９のフローチャートに示す各処理は、主制御部２０１が記憶部２０２に格納された所定のプログラムを実行して撮像装置１００の各部の動作を制御することにより実現される。図１０は、動画撮影での各種条件を図９のフローチャートに従って設定するための設定画面の一例を示す図である。なお、ここでは、図６乃至図８を参照して説明したフローチャート及び表示画面との相違点についてのみ説明することとする。
【００５１】
ステップＳ９０１〜Ｓ９０４の処理は、図６のフローチャートのステップＳ６０１〜Ｓ６０４と同じであるため、説明を省略する。ステップＳ９０４の後のステップＳ９０５において主制御部２０１は、音声がミュートされる倍速率が選択されているか否かを判定する。主制御部２０１は、音声をミュートする倍速率が選択されていると判定した場合（Ｓ９０５でＹＥＳ）、処理をステップＳ９０６へ進め、音声をミュートしない倍速率が選択されていると判定した場合（Ｓ９０５でＮＯ）、処理をステップＳ９０７へ進める。ステップＳ９０６において主制御部２０１は、図１０（ａ）に示す警告画面１０１０を表示部２０９に表示する。警告画面１０１０には、現在の倍速率では音声がミュートされることをユーザに示す警告項目１０１１が表示されている。
【００５２】
ステップＳ９０７〜Ｓ９０８の処理は、図６のフローチャートのステップＳ６０５〜Ｓ６０６の処理と同じであるため、説明を省略する。ステップＳ９０８に続いて実行されるステップＳ９０９の実行時には倍速率が確定しているため、ステップＳ９０９において主制御部２０１は、ステップＳ９０６と同様に、音声がミュートされる倍速率が設定されているか否かを判定する。主制御部２０１は、音声をミュートする倍速率が設定されていると判定した場合（Ｓ９０９でＹＥＳ）、処理をステップＳ９１１へ進め、音声をミュートしない倍速率が設定されていると判定した場合（Ｓ９０９でＮＯ）、処理をステップＳ９１０へ進める。ステップＳ９１１において主制御部２０１は、ミュート処理を音声処理部２０６に指示する。続くステップＳ９１２において主制御部２０１は、ステップＳ９０６において表示した警告画面１０１０を閉じる。ステップＳ９１２の後、処理はステップＳ９０１へ戻される。
【００５３】
ステップＳ９１０，Ｓ９１３〜Ｓ９２４の処理は、図６のフローチャートのステップＳ６０７，Ｓ６０８〜Ｓ６１９の処理と同じであるため、説明を省略する。このような一連の処理により、第１実施形態と同様の効果が得られることに加えて、音声の記憶が不可された倍速率が選択されている場合に、ミュート処理を行うことが可能になる。
【００５４】
なお、ステップＳ９１５（ステップＳ６１０に対応）では、図１０（ｂ）に示す詳細設定画面１０２０が表示部２０９に表示される。詳細設定画面１０２０は、音声オン／オフ切換スイッチ８１１の表示欄に音声がミュートされる旨が表示されている点で、図８（ａ）に示した詳細設定画面８１０と異なる。詳細設定画面１０２０に代えて、図８（ｃ）の詳細設定画面８３０と同様の、図１０（ｃ）に示す詳細設定画面１０３０を表示部２０９に表示するようにしてもよい。ステップＳ９２０（ステップＳ６１５に対応）の後のステップＳ９１５（ステップＳ６１０に対応）では、図８（ｄ）のメイン画面８４０に代えて、図１０（ｄ）に示すメイン画面１０４０が表示される。メイン画面１０４０は、倍速率選択バー１０４１において音声の記憶を不可としている倍速率領域をグレーアウト表示しない点で、メイン画面８４０と異なる。メイン画面１０４０には、図１０（ａ）の警告画面１０１０に表示されている警告項目１０１１を更に表示するようにしてもよい。
【００５５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５６】
１００    撮像装置
２０１    主制御部
２０３    撮像部
２０５    マイク
２０７    操作部
２０９    表示部
２１０    表示制御部
２１１    記録媒体制御部
２１２    記録媒体
【図１】
2018098640.tif 000003
【図２】
2018098640.tif 000004
【図３】
2018098640.tif 000005
【図４】
2018098640.tif 000006
【図５】
2018098640.tif 000007
【図６】
2018098640.tif 000008
【図７】
2018098640.tif 000009
【図８】
2018098640.tif 000010
【図９】
2018098640.tif 000011
【図１０】
2018098640.tif 000012